(57)【特許請求の範囲】
【請求項１】
マニュアルサーチ機能を有するディスクドライブ装置であって、
情報記録再生媒体に記録されている情報を外周側の情報から内周側の情報に向かって部分的に再生しながら所望の再生開始位置をサーチするマニュアルサーチ指示手段と、
前記マニュアルサーチ指示手段の指令によって、前記情報に含まれている曲間部の終端位置に続く情報の前端位置をピックアップの読取情報に基づいて検出する検出手段と、
前記曲間部を挟んで前記内周側に記録されている情報の終端位置を探索する探索手段と、
前記検出手段が前記前端位置を検出すると、前記探索手段に前記終端位置を探索させ、前記終端位置から前記マニュアルサーチを継続させる制御手段とを備え、
前記探索手段は、前記ピックアップが行う前記情報記録再生媒体に存在するトラックのジャンプを、該ジャンプした位置が前記内周側に記録されている情報の存在領域内であった場合には外周側へジャンプし、前記ジャンプした位置が前記曲間部であった場合には内周側へジャンプするように、ジャンプするトラック数を減らしながら繰り返し行い、前記ジャンプするトラック数が最小でかつ前記曲間部から前記内周側に記録されている情報の存在領域内へジャンプしたときに、当該ジャンプした位置を前記終端位置とすることを特徴とするディスクドライブ装置。
【請求項２】
マニュアルサーチ機能を有するディスクドライブ装置であって、
情報記録再生媒体に記録されている情報を外周側の情報から内周側の情報に向かって部分的に再生しながら所望の再生開始位置をサーチするマニュアルサーチ指示手段と、
前記マニュアルサーチ指示手段の指令によって、前記情報に含まれている再生禁止の指定がなされた情報の終端位置に続く情報の前端位置をピックアップの読取情報に基づいて検出する検出手段と、
前記再生禁止の指定がなされた情報を挟んで前記内周側に記録されている情報の終端位置を探索する探索手段と、
前記検出手段が前記前端位置を検出すると、前記探索手段に前記終端位置を探索させ、前記終端位置からマニュアルサーチを継続させる制御手段とを備え、
前記探索手段は、前記ピックアップが行う前記情報記録再生媒体に存在するトラックのジャンプを、該ジャンプした位置が前記内周側に記録されている情報の存在領域内であった場合には外周側へジャンプし、前記ジャンプした位置が前記再生禁止の指定がなされた情報であった場合には内周側へジャンプするように、ジャンプするトラック数を減らしながら繰り返し行い、前記ジャンプするトラック数が最小でかつ前記再生禁止の指定がなされた情報から前記内周側に記録されている情報の存在領域内へジャンプしたときに、当該ジャンプした位置を前記終端位置とすることを特徴とするディスクドライブ装置。
【発明の詳細な説明】
【０００１】
【発明の属する技術分野】
本発明は、例えばＣＤ−Ｒ等の情報記録再生媒体から情報再生する機能を有するディスクドライブ装置に関する。
【０００２】
【従来の技術】
近年、ＣＤＤＡ（コンパクトディスクディジタルオーディオ）方式を基本とするＣＤファミリーのバリエーションが増え、そのうちＣＤ−Ｒが注目されている。
【０００３】
このＣＤ−Ｒは、有機色素により形成された記録層を備え、情報を１回に限り追記録（ライトワンス）することができるという特徴を有している。このため、ユーザーが所望の画像データや音楽データ、コンピュータプログラム等のデータを記録し、長期間保存するのに適した情報記録再生媒体であるとして注目されている。
【０００４】
また、ＣＤ−ＲはＣＤファミリーとしてのコンパチビリティが考慮されており、ＣＤ−Ｒ記録装置でデータを書き込んだ後、ファイナライズ処理が行われると、ＣＤプレーヤを用いてＣＤＤＡと同様に情報再生をすることができる。
【０００５】
ところが、上記したように、ＣＤ−Ｒは情報を記録できるという利点があるものの、１回に限るという制限があるため、例えばユーザーがＣＤ−Ｒ記録装置によって複数の音楽データを記録した後、そのうちの特定の音楽データを再生する必要が無いと思っても、その特定の音楽データを消去して他の音楽データを上書き記録することはできない。
【０００６】
そこで、こうしたユーザーの要求に対応し得るＣＤ−Ｒ記録装置として、上記のファイナライズ処理の際に、再生する必要の無い音楽データが記録されているアドレス情報をＴＯＣ（Table of Contents）に記録するものが開発されている。これによると、ファイナライズ処理されたＣＤ−ＲをＣＤプレーヤで再生した場合に、上記指定した音楽データを再生禁止の対象データとすることで再生を行わず、ユーザーが所望する音楽データだけを再生するため、操作性の向上等が図られている。
【０００７】
例えば、図５に模式的に示すように、ユーザーが３つの音楽データＴＮＯ（ｎ）〜ＴＮＯ（ｎ＋２）を記録した後、第２番目の音楽データＴＮＯ（ｎ＋１）を再生しない旨の指定をして上記のファイナライズ処理を行った場合、そのファイナライズ処理後のＣＤ−ＲをＣＤプレーヤに掛けて第１番目の音楽データＴＮＯ（ｎ）の再生途中に、次の音楽を再生したい旨の指示（「トラックサーチ」と呼ばれる）をすると、再生途中のアドレスＰ１から第３番目の音楽データＴＮＯ（ｎ＋２）の先頭アドレスＡＤＲn+2へジャンプして再生が継続される。
【０００８】
つまり、ＴＯＣによって管理されている先頭アドレスＡＤＲn+2（図中の曲間（無音）部の開始アドレスではなく、実際に音楽データが記録されている開始アドレス）にジャンプすることで、再生する必要のない第２番目の音楽データＴＮＯ（ｎ＋１）がスキップされ、切れ目の無い再生が行われることになることから、操作性の向上等が図られている。
【０００９】
また、ＣＤ−Ｒ記録装置には、情報記録の最中に書込みエラーが発生すると、その書込みエラーに該当するデータが記録されているアドレス情報をＴＯＣに記録することで、ＣＤプレーヤが再生する際に書き込みエラーに該当するデータを再生禁止データとする機能を備えたものも知られている。
【００１０】
例えば、図５に示した第２番目の音楽データＴＮＯ（ｎ＋１）が書込みエラーに該当している場合、ＣＤプレーヤは第１番目の音楽データＴＮＯ（ｎ）を全て再生し終えると、第３番目の音楽データＴＮＯ（ｎ＋２）の先頭アドレスＡＤＲn+2から再生を継続する。つまり、第２番目の音楽データＴＮＯ（ｎ＋１）を自動的にスキップし、第３番目の音楽データＴＮＯ（ｎ＋１）が実際に記録されている先頭アドレスＡＤＲn+2から引き続いて再生が行われることになるため、切れ目の無い再生が行われて、操作性の向上等が図られている。
【００１１】
【発明が解決しようとする課題】
ところで、上記のようにユーザーに対する操作性の向上等を図るため、ＣＤプレーヤには、上記のトラックサーチの他、マニュアルサーチと呼ばれる機能が備えられている。
【００１２】
このマニュアルサーチは、トラックサーチのような音楽データ毎に再生対象を順繰りに切り替える機能ではなく、音楽データを早送りで再生しながらユーザーの所望する再生開始位置をサーチすることができるようにした機能である。
【００１３】
例えば図６に模式的に示すように、音楽データＴＮＯ（ｎ＋２）の再生途中に、ユーザーがマニュアルサーチを指示して、いわゆる巻き戻しを行いながら所望の再生開始位置をサーチしようとすると、ＣＤプレーヤのピックアップが再生途中のアドレスＰａから矢印で示す方向（リードインエリア側の方向）へ反転動作すると共に、マニュアルサーチの指示がなされている期間中、音楽データを部分的に再生しながら若い番号の音楽データＴＮＯ（ｎ＋１），ＴＮＯ（ｎ）側へと移動していく。
【００１４】
このため、マニュアルサーチによると、ユーザーはアナログカセットテープのような操作感覚で所望の位置まで早送りで巻き戻しを行い、巻き戻した位置から再生を開始させることができるようになっている。
【００１５】
ところが従来のマニュアルサーチでは、ユーザーが再生しないように指定したデータや書込みエラーに該当する再生禁止データ（例えば、図６中の第２番目の音楽データＴＮＯ（ｎ＋１）など）をも、サーチの対象として再生してしまうという問題があった。
【００１６】
このため、ユーザーが所望する再生開始位置をサーチするのに時間がかかったり、実際には音楽データが記録されていない曲間（無音）部をもマニュアルサーチの対象としてしまうために、ユーザーに対して無用の操作を強いる等の問題があった。
【００１７】
本発明は上記従来の問題点を克服するためになされたものであり、より操作性の向上等を図ることができるサーチ機能を備えたディスクドライブ装置を提供することを目的とする。
【００１８】
上記目的を達成するため請求項１に係る発明は、マニュアルサーチ機能を有するディスクドライブ装置であって、情報記録再生媒体に記録されている情報を外周側の情報から内周側の情報に向かって部分的に再生しながら所望の再生開始位置をサーチするマニュアルサーチ指示手段と、前記マニュアルサーチ指示手段の指令によって、前記情報に含まれている曲間部の終端位置に続く情報の前端位置をピックアップの読取情報に基づいて検出する検出手段と、前記曲間部を挟んで前記内周側に記録されている情報の終端位置を探索する探索手段と、前記検出手段が前記前端位置を検出すると、前記探索手段に前記終端位置を探索させ、前記終端位置から前記マニュアルサーチを継続させる制御手段とを備え、前記探索手段は、前記ピックアップが行う前記情報記録再生媒体に存在するトラックのジャンプを、該ジャンプした位置が前記内周側に記録されている情報の存在領域内であった場合には外周側へジャンプし、前記ジャンプした位置が前記曲間部であった場合には内周側へジャンプするように、ジャンプするトラック数を減らしながら繰り返し行い、前記ジャンプするトラック数が最小でかつ前記曲間部から前記内周側に記録されている情報の存在領域内へジャンプしたときに、当該ジャンプした位置を前記終端位置とすることを特徴とする。
【００１９】
かかる構成によると、情報記録再生媒体の外周側に記録されている情報から内周側に記録されている情報へとマニュアルサーチが行われる際に、上記外周側と内周側との情報の間に曲間部が存在する場合、外周側の情報の前端位置までサーチが行われると、その前端位置から内周側の情報の終端位置までの間のサーチをスキップすることで、曲間部のサーチを行わない。これにより、マニュアルサーチの際にユーザーにとって不必要な曲間部はサーチの対象とせず、必要な情報だけを連続してサーチし、ユーザーに対して優れた操作性等を提供する。
【００２０】
また、請求項２に係る発明は、マニュアルサーチ機能を有するディスクドライブ装置であって、情報記録再生媒体に記録されている情報を外周側の情報から内周側の情報に向かって部分的に再生しながら所望の再生開始位置をサーチするマニュアルサーチ指示手段と、前記マニュアルサーチ指示手段の指令によって、前記情報に含まれている再生禁止の指定がなされた情報の終端位置に続く情報の前端位置をピックアップの読取情報に基づいて検出する検出手段と、前記再生禁止の指定がなされた情報を挟んで前記内周側に記録されている情報の終端位置を探索する探索手段と、前記検出手段が前記前端位置を検出すると、前記探索手段に前記終端位置を探索させ、前記終端位置からマニュアルサーチを継続させる制御手段とを備え、前記探索手段は、前記ピックアップが行う前記情報記録再生媒体に存在するトラックのジャンプを、該ジャンプした位置が前記内周側に記録されている情報の存在領域内であった場合には外周側へジャンプし、前記ジャンプした位置が前記再生禁止の指定がなされた情報であった場合には内周側へジャンプするように、ジャンプするトラック数を減らしながら繰り返し行い、前記ジャンプするトラック数が最小でかつ前記再生禁止の指定がなされた情報から前記内周側に記録されている情報の存在領域内へジャンプしたときに、当該ジャンプした位置を前記終端位置とすることを特徴とする。
【００２１】
かかる構成によると、情報記録再生媒体の外周側に記録されている情報から内周側に記録されている情報へとマニュアルサーチが行われる際に、上記外周側と内周側との情報の間に再生禁止の指定がなされた情報が存在する場合、外周側の情報の前端位置までサーチが行われると、その前端位置から内周側の情報の終端位置までの間のサーチをスキップすることで、再生禁止の指定がなされた情報のサーチを行わない。これにより、マニュアルサーチの際にユーザーにとって不必要な再生禁止の指定がなされた情報はサーチの対象とせず、必要な情報だけを連続してサーチし、ユーザーに対して優れた操作性等を提供する。
【００２２】
【発明の実施の形態】
以下、本発明のディスクドライブ装置の実施の形態を図面を参照して説明する。尚、図１は、本実施形態のディスクドライブ装置の構成を示すブロック図、図２及び図３は、本実施形態のディスクドライブ装置の動作を説明するためのフローチャートである。
【００２３】
図１において、本ディスクドライブ装置は、情報記憶再生媒体であるＣＤファミリーのディスク１を再生する機能を有しており、ディスク１をクランプ位置で回転させるスピンドルモータ２と、光学的に情報読取りを行うピックアップ３が設けられている。
【００２４】
更に、ピックアップ３が読み取った信号を増幅してマトリックス処理を行うＲＦアンプ４、ＲＦアンプ４の出力信号に基づいてピックアップ３をフォーカスサーボとトラッキングサーボとスレッドサーボするサーボ回路５と、ＥＦＭ復調器７で復調される復調データに基づいてスピンドルモータ３の回転速度を所定の線速度に制御する速度制御回路６が備えられている。
【００２５】
上記のＥＦＭ復調器７は、ＲＦアンプ４からの出力信号（ＲＦ信号）をＥＦＭ（Eight to Fourteen Modulation）復調し、その復調データをＣＩＲＣ復調器８がＣＩＲＣ（Cross Interleaved Reed Solomon Code）符号誤り訂正を行って出力回路９へ出力する。
【００２６】
出力回路９は、内蔵されているＤ／Ａ変換器によってＣＩＲＣ復調器８からの出力データをアナログ信号Ｓoutに変換して出力したり、ＣＩＲＣ復調器８からの出力データをデジタルデータＤoutのまま出力する。
【００２７】
更に、上記ＥＦＭ復調器７より出力される復調データからサブコーディングデータを復調してシステムコントローラ１１に供給するサブコード復調器１０が設けられている。
【００２８】
システムコントローラ１１は、マイクロプロセッサ（ＭＰＵ）を有しており、本ディスクドライブ装置全体の動作を制御すると共に、サブコード復調器１０からのサブコーディングデータに基づいて、後述のマニュアルサーチの制御を行う。
【００２９】
また、本ディスクドライブ装置には、システムコントローラ１１に対してユーザーが所望の指令を入力するための操作部１２が備えられている。
【００３０】
尚、本ディスクドライブ装置では、ユーザーが操作部１２を操作することで、所望の指令を入力する構成となっているが、マイクロコンピュータに本ディスク再生装置を取り付け、ＳＣＳＩ（Small Computer System Interface）や、ＥＩＤＥ（Enhanced IDE）又はＡＴＡＰＩ（AT Attachment Packet Interface）等のインタフェースを介して上記マイクロコンピュータから供給される指令にしたがって、システムコントローラ１１が本ディスクドライブ装置全体の動作を制御するようにしてもよい。
【００３１】
次に、かかる構成を有するディスクドライブ装置の動作を図２及び図３のフローチャートに基づいて説明する。
【００３２】
尚、動作を理解し易くするため、具体例として図４に示すように、ユーザーが複数の音楽データをプログラム領域に記録してファイナライズ処理したＣＤ−Ｒをディスク１として本ディスクドライブ装置に装填し、第ｎ＋１番目の音楽データＴＮＯ（ｎ＋１）を再生している途中で、操作部１２からマニュアルサーチ開始の指令を入力することで、第ｎ番目の音楽データＴＮＯ（ｎ）側へ早送りの巻き戻しを行う場合について説明することとする。
【００３３】
また、図４に示すように、第ｎ＋１番目の音楽データＴＮＯ（ｎ＋１）の先頭のエリアは曲間（無音）部ＮＯＮとなっており、実際の音楽データはこの曲間（無音）部ＮＯＮに続けて記録されているものとする。更に、各音楽データは、目標曲番号（Track Number：ＴＮＯ）と呼ぶこととする。
【００３４】
上記した図４中の例えば目標曲番号ＴＮＯ（ｎ＋１）を再生している途中の或るアドレスＰａにピックアップ３が移動した時点でユーザーがマニュアルサーチ開始の指令をすると、トラッキングサーボを解除してピックアップ３を所定トラック数分だけディスク１の半径方向へ移動させ、次に移動したトラック上でピックアップ３をオントラックサーボして、記録されているデータを１セクタ（９８フレーム）分または比較的少ない所定数のセクタ分再生し、更に再びトラッキングサーボを解除してピックアップ３をディスク１の半径方向へ移動させるという処理を繰り返すことで、マニュアルサーチが行われる。つまり、図４中の複数の矢印Ｘで示すように、ピックアップ３を半径方向へ順次に移動させることでマニュアルサーチが行われる。
【００３５】
こうしてユーザーがマニュアルサーチを継続し続けて、図４中の目標曲番号ＴＮＯ（ｎ＋１）中の実際に音楽データが記録されている開始アドレスＰｂの位置にピックアップ３が移動すると、図２に示す曲末サーチ中の処理を開始する。
【００３６】
尚、サブコード復調器１０から出力されるＰチャンネルサブコードに含まれているインデックスデータが“１”となった場合に、システムコントローラ１１はピックアップ３が上記開始アドレスＰｂに到達したことを検出して、図２に示す「曲末サーチ中」の処理を開始する。
【００３７】
つまり、ＣＤ−Ｒ記録装置によってＣＤ−Ｒにデータを記録してファイナライズ処理を行うと、各目標曲番号ＴＮＯ中の曲間（無音）部ＮＯＮ分の無音データには、１セクタ毎に“０”のインデックスデータがＰチャンネルのサブコードとして記録されたり又はインデックスデータが記録されないようになっている。また、実際の音楽データの先頭のセクタには、曲の先頭を示す“１”のインデックスデータがＰチャンネルのサブコードとして記録され、それに続く音楽データの各セクタには、“２”のインデックスデータがＰチャンネルのサブコードとして記録されるようになっている。
【００３８】
したがって、上記したように、サブコード復調器１０から出力されるＰチャンネルサブコードに含まれているインデックスデータが“１”となった場合に、システムコントローラ１１はピックアップ３が上記開始アドレスＰｂに到達したことを検出して、図２に示す曲末サーチ中の処理を開始するようになっている。
【００３９】
ステップＳ１００では、ディスク１のリードアウトエリアＬＴＮＯのラスト（終端）アドレスにピックアップ３が位置しているか判断する。
【００４０】
すなわち、システムコントローラ１１が、サブコード復調器１０から出力されるＱチャンネルのサブコードに基づいて、ピックアップ３の再生したデータの絶対アドレス（絶対時間）を調べ、その絶対時間がリードアウトエリアＬＴＮＯのラストアドレスであるか否かの判断をする。
【００４１】
ここで、絶対時間がラストアドレスであれば（「Ｙｅｓ」の場合）、ステップＳ１０２に移行し、リードアウトの上記絶対時間をサーチしてマニュアルサーチの処理を終了する（ステップＳ１０４）。
【００４２】
つまり、図４には、目標曲番号ＴＮＯ（ｎ＋１）中のアドレスＰａから目標曲番号ＴＮＯ（ｎ）側へ早送りの巻き戻しを行うためにユーザーがマニュアルサーチを行う場合を示しているが、仮にユーザーが目標曲番号ＴＮＯ（ｎ＋１）中のアドレスＰａからリードアウト側へ順方向の早送りのためにマニュアルサーチを行い、ピックアップ３がリードアウトエリアＬＴＮＯのラストアドレスに到達した場合には、それ以上のサーチ処理を行わないようになっている。
【００４３】
次に、上記のステップＳ１００において絶対時間がリードアウトエリアＬＴＮＯのラストアドレスでなかった場合（「Ｎｏ」の場合）には、ステップＳ１０６に移行し、ピックアップ３がディスク１のプログラムエリア内に位置しているか判断する。すなわち、システムコントローラ１１がサブコード復調器１０から出力されるＱチャンネルのサブコードを調べ、絶対時間がプログラムエリアに該当していればステップＳ１０８に移行する。
【００４４】
また、Ｑチャンネルのサブコードがプログラムエリアを示す絶対時間でない場合（「Ｎｏ」の場合）には、ステップＳ１１２に移行し、ピックアップ３をプログラムエリア内に移動させる。すなわち、Ｑチャンネルのサブコードがプログラムエリアの絶対時間でない場合には、ピックアップ３がリードインエリア又はリードアウトエリアに位置しているので、ピックアップ３をリードインエリア又はリードアウトエリアから脱出させてプログラムエリア内に移動させ、ステップＳ１０６からの処理を繰り返す。
【００４５】
次に、ステップＳ１０８では、ジャンプ先の目標曲番号ＴＮＯ（ｎ）にピックアップ３が位置しているか否か判断する。すなわち、システムコントローラ１１は、サブコード復調器１０から出力されるＰチャンネルサブコードに含まれているインデックスデータが“２”となった場合に、ピックアップ３がジャンプ先の目標曲番号ＴＮＯ（ｎ）に位置していると判断してステップＳ１１０に移行し、そうでない場合（「Ｎｏ」の場合）にはステップＳ１１４に移行する。
【００４６】
次に、ステップＳ１１０において、システムコントローラ１１は、後述する「曲末ロック中」を示すフラグデータＦＧが設定されているか調べ、「曲末ロック中」でない場合（「Ｎｏ」の場合）には、ステップＳ１２２に移行し、「曲末ロック中」の場合（「Ｙｅｓ」の場合）には、ピックアップ３がジャンプ先の目標曲番号ＴＮＯ（ｎ）の終端、すなわち図４に示す目標曲番号ＴＮＯ（ｎ）の実際の音楽データが終了する終端アドレス（曲末アドレスという）に位置していると判断して「曲末サーチ」の処理を終了する。
【００４７】
そして、「曲末サーチ」の処理を終了した後でも、更にユーザーがマニュアルサーチを継続させると、目標曲番号ＴＮＯ（ｎ）の上記曲末アドレスから引き続いて、ピックアップ３をディスク１の半径方向へ移動させることで、早送りの巻き戻しが継続して行われる。
【００４８】
このように、ステップＳ１０６，Ｓ１０８，Ｓ１１０における判断結果が全て「Ｙｅｓ」となった場合には、図４中に示す目標曲番号ＴＮＯ（ｎ＋１）のアドレスＰａからマニュアルサーチが開始され、実際の音楽データの記録開始アドレス（つまり、音楽データの前端アドレス）Ｐｂから目標曲番号ＴＮＯ（ｎ）の曲末アドレスにピックアップ３がジャンプした後、その曲末アドレスから引き続いて目標曲番号ＴＮＯ（ｎ）がマニュアルサーチされる。つまり、曲間（無音）部ＮＯＮをスキップすることで、目標曲番号ＴＮＯ（ｎ＋１）と目標曲番号ＴＮＯ（ｎ）の実際の音楽データだけをマニュアルサーチの対象とするようになっている。
【００４９】
次に、ステップＳ１０８，Ｓ１１０において判断結果が「Ｎｏ」となった場合の処理、すなわち、ピックアップ３をジャンプ先の目標曲番号ＴＮＯ（ｎ）の「曲末アドレス」に正確に移動させるための処理について説明する。
【００５０】
上記のステップＳ１０８において、アドレスＰｂからジャンプ先の目標曲番号ＴＮＯ（ｎ）にピックアップ３が移動していないと判断した場合には、ステップＳ１１４に移行する。例えば、図４中に示す曲間（無音）部ＮＯＮが長く、そのためピックアップ３を目標曲番号ＴＮＯ（ｎ）側へジャンプさせたが、そのジャンプした位置が上記曲間（無音）部ＮＯＮのエリア内であった場合に、ステップＳ１０８において「Ｎｏ」と判断してステップＳ１１４に移行する。
【００５１】
ステップＳ１１４では、ピックアップ３が実際にジャンプした先の位置の目標曲番号（現在ＴＮＯ）と、本来ジャンプさせるべき位置の目標曲番号（目標ＴＮＯ）の大小関係を調べる。更に、ピックアップ３をジャンプさせたときのジャンプ数（トラック数）が１トラックに設定されているかを調べる。
【００５２】
ここで、目標ＴＮＯ＜現在ＴＮＯの関係にあり、または、ジャンプ数（トラック数）が１トラックに設定されていた場合（「Ｙｅｓ」の場合）には、ステップＳ１１６に移行して、「曲末ロック中」を示すフラグデータＦＧを「１」に設定してステップＳ１２０の目標曲番号サーチ処理に移行する。
【００５３】
一方、目標ＴＮＯ≧現在ＴＮＯの関係にあり、且つジャンプ数（トラック数）が１トラックより大きな数に設定されていた場合（「Ｎｏ」の場合）には、ステップＳ１１８に移行して、「曲末ロック中」を示すフラグデータＦＧを「０」に設定することにより、曲末ロック解除の設定を行った後、ステップＳ１２０の「目標曲番号サーチ処理」に移行する。
【００５４】
例えば、図４に示す目標曲番号ＴＮＯ（ｎ＋１）のアドレスＰｂからピックアップ３をジャンプした先の位置が目標曲番号ＴＮＯ（ｎ＋１）の曲間（無音）部ＮＯＮのエリア内であった場合には、目標ＴＮＯ＜現在ＴＮＯとなり、目標曲番号ＴＮＯ（ｎ＋１）のアドレスＰｂからピックアップ３をジャンプした先の位置が目標曲番号ＴＮＯ（ｎ）のエリア内であった場合には、目標ＴＮＯ≧現在ＴＮＯとなる。
【００５５】
更に、第１回目のジャンプの際には、図４中の▲１▼で示すように比較的多いトラック数（本実施形態では、３００トラック）をジャンプするようになっており、２回目以降のジャンプでは、図中の▲２▼〜▲６▼にて示すように次第にジャンプ数を減らしていき、目標曲番号ＴＮＯ（ｎ）の曲末アドレスの直近にジャンプすると、最後のジャンプ数を１トラック（１ＴＲＫ）に設定するようになっている。
【００５６】
また、これらのジャンプ数（トラック数）は、予めシステムコントローラ１１に設定されており、予め設定された最多のジャンプ数がレベル１、次に多いジャンプ数がレベル２、以下同様にして、ジャンプ数が少なくなるほど小さいレベルのデータとして決められている。
【００５７】
したがって、上記ステップＳ１１４において、ジャンプ数が１ＴＲＫに設定されており且つ目標ＴＮＯ＜現在ＴＮＯの関係にあればステップＳ１１６、ジャンプ数が１ＴＲＫより多く設定されており且つ目標ＴＮＯ≧現在ＴＮＯの関係にあればステップＳ１１８に移行する。
【００５８】
次に、ステップＳ１２０では、図３に示す「目標曲番号サーチ処理」が行われる。
まず、ステップＳ２００において、１つレベルの小さいジャンプ数を選択する。但し、既に１ＴＲＫに設定されている場合には、そのまま１ＴＲＫを選択する例えば、図４中の▲１▼で示すように、ピックアップ３が大きなジャンプ数で移動した場合には、次のレベルに該当する▲２▼のジャンプ数を設定する。
【００５９】
次に、ステップＳ２０２において、上記ステップＳ１１４の処理と同様に、ピックアップ３が実際にジャンプした先の位置の目標曲番号（現在ＴＮＯ）と、本来ジャンプさせるべき位置の目標曲番号（目標ＴＮＯ）の大小関係を調べる。
【００６０】
そして、目標ＴＮＯ＜現在ＴＮＯの関係にあればステップＳ２０４に移行して、ピックアップ３を上記選択したジャンプ数でディスク１の内周方向（リードイン側の方向）へジャンプさせる。
【００６１】
一方、目標ＴＮＯ≧現在ＴＮＯの関係にあればステップＳ２０６に移行して、ピックアップ３を上記選択したジャンプ数でディスク１の外周方向（リードアウト側の方向）へジャンプさせる。
【００６２】
したがって、図４に示した▲１▼のジャンプが行われ、Ｐチャンネルのサブコードに含まれているインデックスデータが“１”であった場合には、ステップＳ２０６によって、▲２▼に示す外周方向へのジャンプが行われることになる。また、仮に目標曲番号ＴＮＯ（ｎ＋１）中の曲間（無音）部ＮＯＮが長いような場合に、▲１▼に示すジャンプ先が目標曲番号ＴＮＯ（ｎ＋１）中の曲間（無音）部ＮＯＮ（つまり、現在ＴＮＯの曲間（無音）部ＮＯＮ）のアリア内であった場合には、Ｐチャンネルのサブコードに含まれているインデックスデータが“１”でないことを判定して、ステップＳ２０４の処理によって、内周方向へのジャンプが行われ、ピックアップ３を目標曲番号ＴＮＯ（ｎ）側へより近付けるように移動させる。
【００６３】
かかる「目標曲番号サーチ処理」が終了すると、再び図２に示すステップＳ１０６からの処理を行う。
【００６４】
次に、ステップＳ１１０において「曲末ロック中」のフラグデータＦＧが「１」に設定されておらずステップＳ１２２に移行する場合の処理を説明する。
【００６５】
まず、ステップＳ１２２では、ピックアップ３がディスク１の内周側へ移動中であるか否かをＰチャンネルのサブコードに含まれているインデックスデータの値に基づいて判断し、そうであれば（「Ｙｅｓ」の場合）、ステップＳ１２４において１レベル小さいジャンプ数を選択した後、ステップＳ１２６においてその選択したジャンプ数でピックアップ３を外周方向へジャンプさせる。そして、再びステップＳ１０６からの処理を繰り返す。
【００６６】
一方、ステップＳ１２２において、ピックアップ３がディスク１の内周側へ移動中であった場合（「Ｎｏ」の場合）には、ステップＳ１２６に直接移行して、選択中のジャンプ数でピックアップ３を外周方向へジャンプさせる。そして、再びステップＳ１０６からの処理を繰り返す。
【００６７】
こうして上記ステップＳ１０６，Ｓ１０８，Ｓ１１４〜Ｓ１２０とＳ１１０，Ｓ１２２〜Ｓ１２６の処理が繰り返されると、図４中に符号▲１▼〜▲６▼で示すように、ジャンプ元の目標曲番号ＴＮＯ（ｎ＋１）とジャンプ先の目標曲番号ＴＮＯ（ｎ）との間の曲末アドレスを挟んでピックアップ３が往復移動し、更にその往復移動の際のジャンプ数が少なくなって行くことで、ピックアップ３は曲末アドレスに次第に近付いていく。そして、最後にピックアップ３のジャンプ数が１ＴＲＫに選択されることで、例えば符号▲７▼で示すようにピックアップ３が１ＴＲＫジャンプして曲末アドレスに近接した位置Ｐｃに到達する。
【００６８】
このように、ピックアップ３を往復移動させつつピックアップ３のジャンプ先の位置を調べることによって曲末アドレスに到達したか否かの探索を行うと、最終的に図４中の曲末アドレスに対する位置Ｐｃの誤差は１ＴＲＫ以内となり、ピックアップ３がこの位置Ｐｃに到達した時点でサーボ回路５がトラッキングサーボを開始することにより、ピックアップ３を曲末アドレスのトラックにオントラックさせて、「曲末サーチ」の処理を終了する。
【００６９】
そして、「曲末サーチ」の処理を終了した後でも、更にユーザーがマニュアルサーチを継続させると、目標曲番号ＴＮＯ（ｎ）の上記曲末アドレスから引き続いて、図４中の複数の矢印Ｙにて示すように、ピックアップ３をディスク１の半径方向へ順次に移動させることで、早送りの巻き戻しが継続して行われる。
【００７０】
このように本実施の形態によれば、複数の目標曲番号ＴＮＯが記録されているディスク１をマニュアルサーチする際に、ジャンプ元の目標曲番号中に記録されている実際の音楽データの開始アドレス（前端アドレス）からジャンプ先の目標曲番号の曲末アドレス（終端アドレス）にスキップしてサーチ処理を継続するようにしたので、ユーザーは実際の音楽データだけをサーチすることができる。このため、ユーザーが所望する再生開始位置を探索するのに時間がかかったり、実際には音楽データが記録されていない曲間（無音）部をもマニュアルサーチの対象としてしまうという従来の問題を解消し、優れた操作性を提供することができる。
【００７１】
また、ＣＤ−Ｒ記録装置によってＣＤ−Ｒに音楽データを記録した際に書込みエラーが発生し、その記録エラーに該当する目標曲番号が再生禁止データとして含まれているディスク１をマニュアルサーチする場合にも、記録エラーに該当する目標曲番号は図４に示した曲間（無音）部ＮＯＮと同様にサーチの対象から外される。このため、曲間（無音）部に限らず再生禁止データが記録されているディスク１であっても、ユーザーに対して無用の操作を強いることなく、操作性の良いディスクドライブ装置を提供することができる。
【００７２】
尚、主として再生装置としてのディスクドライブ装置について説明したが、本発明は、ＣＤ−Ｒに情報を記録する記録回路を備えたディスクドライブ装置にも適用できるものである。
【００７３】
【発明の効果】
以上説明したように本発明によれば、曲間部又は再生禁止の指定がなされた情報が記録され、それら曲間部又は再生禁止の指定がなされた情報を挟んで情報記録再生媒体の内周側と外周側に記録されている情報を外周側の情報からマニュアルサーチする際に、曲間部又は再生禁止の指定がなされた情報をサーチの対象とせずにスキップするようにしたので、ユーザーに対して無用の操作を強いることの無い操作性の優れたディスクドライブ装置を提供することができる。
【図面の簡単な説明】
【図１】本実施形態のディスクドライブ装置の構成を示すブロック図である。
【図２】本実施形態のディスクドライブ装置の動作を説明するためのフローチャートである。
【図３】本実施形態のディスクドライブ装置の動作を更に説明するためのフローチャートである。
【図４】本実施形態のディスクドライブ装置のマルニュルサーチ機能を説明するため、ディスクに記録されているデータとピックアップの位置関係を示した模式図である。
【図５】従来の再生プレーヤの問題点を説明するための説明図である。
【図６】従来の再生プレーヤの問題点を更に説明するための説明図である。
【符号の説明】
１…ディスク
２…スピンドルモータ
３…ピックアップ
４…ＲＦアンプ
５…サーボ回路
６…速度制御回路
７…ＥＦＭ復調器
８…ＣＩＲＣ復調器
９…出力回路
１０…サブコード復調器
１１…システムコントローラ
１２…操作部
Ｐｂ…前端アドレス
Ｐｃ…終端アドレス
ＮＯＮ…曲間（無音）部
【図１】
0003681607.tif 000002
【図２】
0003681607.tif 000003
【図３】
0003681607.tif 000004
【図４】
0003681607.tif 000005
【図５】
0003681607.tif 000006
【図６】
0003681607.tif 000007